(57)【要約】  移動端末用のオーディオ回路は、マイクロホン及びマイクロホンに結合された入力を有するオーディオ信号処理回路を含む。オーディオ信号処理回路は切り換え可能部を有し、そこに結合されたモード信号に応じて、切り換え可能部を使用する音声モードと切り換え可能部を使用しないハイファイモードとを切り換えるよう構成される。
2008544722.tif 000002
【特許請求の範囲】
【請求項１】
移動端末のオーディオ回路であって、
マイクロホンと、
前記マイクロホンに結合される入力部を有するオーディオ信号処理回路と、を備え、
前記オーディオ信号処理回路は、切り換え可能部を有し、当該切り換え可能部に結合されたモード信号に応じて、前記切り換え可能部を使用する音声モードと、前記切り換え可能部を使用しないハイファイモードとを切り換えることを特徴とするオーディオ回路。
【請求項２】
前記移動端末が通話に使用されているときは前記音声モードを選択するための第１状態のモード信号を設定し、ユーザからの前記ハイファイモードの要求に応答して前記ハイファイモードを選択するための第２状態のモード信号を設定するコントローラを更に備えることを特徴とする請求項１に記載のオーディオ回路。
【請求項３】
前記コントローラは、前記通話の開始に応答して前記第１状態を自動的に選択することを特徴とする請求項２に記載のオーディオ回路。
【請求項４】
前記コントローラは、ユーザからの前記ハイファイモードへの切り換え要求に応答して、前記通話中に前記第２状態のモード信号に切り換えることを特徴とする請求項３に記載のオーディオ回路。
【請求項５】
前記コントローラは、ユーザからの記録要求に応答して、前記ハイファイモードで、前記マイクロホンからのオーディオ信号の記録を開始することを特徴とする請求項２に記載のオーディオ回路。
【請求項６】
前記コントローラは、前記記録されたオーディオ信号を前記移動端末から送信するメッセージに添付することを特徴とする請求項５に記載のオーディオ回路。
【請求項７】
前記コントローラは、前記記録されたオーディオ信号を圧縮し、当該圧縮されたオーディオ信号を記憶し、当該記憶されたオーディオ信号を前記送信するメッセージに添付する前に、当該記憶されたオーディオ信号を更に圧縮することを特徴とする請求項６に記載のオーディオ回路。
【請求項８】
前記切り換え可能部は、音声周波数帯域バンドパスフィルタを含み、前記ハイファイモードでは、前記音声周波数帯域バンドパスフィルタは使用されない、及び／又は、ハイファイオーディオ信号を通過させるように選択される広帯域フィルタに置換されることを特徴とする請求項２に記載のオーディオ回路。
【請求項９】
前記切り換え可能部は、デジタル信号プロセッサを含み、前記ハイファイモードでは、前記マイクロホンからのオーディオ信号に対して前記デジタル信号プロセッサによって実行される複数のオーディオ信号処理のうちの少なくとも１つのオーディオ信号処理が停止されることを特徴とする請求項８に記載のオーディオ回路。
【請求項１０】
前記少なくとも１つのオーディオ信号処理は、オーディオ・コンプレッション、コンフォート・ノイズ挿入、及びフィルタリングの少なくともいずれか１つを含むことを特徴とする請求項９に記載のオーディオ回路。
【請求項１１】
前記少なくとも１つのオーディオ信号処理は、コンフォート・ノイズ挿入を含み、前記音声モードにおいて、前記コントローラは、前記マイクロホンからのオーディオ信号の部分を通話のためのコンフォート・ノイズ挿入で置換することを特徴とする請求項１０に記載のオーディオ回路。
【請求項１２】
請求項２に記載のオーディオ回路を含む移動端末であって、
前記オーディオ回路を内蔵する可搬性筐体と、
前記メッセージを送信し、前記通話に関連する信号を送受信する送受信機と、
を更に備えることを特徴とする移動端末。
【請求項１３】
移動端末であって、
可搬性筐体と、
データを送信し、通話に関連する信号を送受信する送受信機と、
選択可能な音声周波数帯域バンドパスフィルタと、コンフォート・ノイズ挿入、バンドパスフィルタ、結合されたマイクロホンからのオーディオ信号に対して動作し処理済みオーディオ信号を生成するオーディオ処理動作を含む選択可能なデジタル処理回路と、を含むオーディオ信号処理回路と、
前記オーディオ信号処理回路の音声モード又はハイファイモードを選択するコントローラと、
を備え、
前記音声モードは、通話のために自動的に選択され、前記処理済みオーディオ信号の生成におけるコンフォート・ノイズ挿入及び前記バンドパスフィルタを含み、前記ハイファイモードは、ユーザ要求に応答して選択され、前記処理済みオーディオ信号の生成における前記バンドパスフィルタ又はコンフォート・ノイズ挿入を含まないことを特徴とする移動端末。
【請求項１４】
前記コントローラは、ユーザからの前記ハイファイモードへの切り換え要求に応答して、通話中に前記ハイファイモードを選択することを特徴とする請求項１３に記載の移動端末。
【請求項１５】
前記コントローラは、前記ハイファイモードにおいて、ユーザからの記録要求に応答して、前記マイクロホンからのオーディオ信号の記録を開始することを特徴とする請求項１３に記載の移動端末。
【請求項１６】
前記コントローラは、前記記録されたオーディオ信号を前記移動端末から送信するメッセージに添付することを特徴とする請求項１５に記載の移動端末。
【請求項１７】
前記コントローラは、前記記録されたオーディオ信号を前記送信するメッセージに添付する前に、当該記録されたオーディオ信号を圧縮することを特徴とする請求項１６に記載の移動端末。
【請求項１８】
前記オーディオ処理動作はオーディオ・コンプレッションを含み、前記音声モードはオーディオ・コンプレッションを含み、前記ハイファイモードはオーディオ・コンプレッションを含まないことを特徴とする請求項１３に記載の移動端末。
【請求項１９】
マイクロホンからのオーディオ信号を処理するオーディオ処理回路を動作させる方法であって、
前記マイクロホンからのオーディオ信号を処理するために、音声モード又はハイファイモードを選択する選択ステップと、
前記音声モードにおいて、前記オーディオ信号を、前記オーディオ処理回路の音声周波数帯域バンドパスフィルタに通して処理する処理ステップと、
前記ハイファイモードにおいて、前記オーディオ信号に対する前記オーディオ処理回路から前記音声周波数帯域バンドパスフィルタを除外する除外ステップと、
を有することを特徴とする方法。
【請求項２０】
前記オーディオ処理回路は、通話に関連するオーディオ信号を送受信する移動端末を含み、通話中は前記音声モードが前記移動端末により自動的に選択されることを特徴とする請求項１９に記載の方法。
【請求項２１】
前記音声モードのおいてのみ、前記オーディオ信号に対するオーディオ・コンプレッション及びコンフォート・ノイズ挿入の少なくともいずれか一方を実行するステップを更に有することを特徴とする請求項１９に記載の方法。
【請求項２２】
マイクロホンからのオーディオ信号の処理のためのオーディオ処理回路を動作させるための、コンピュータ読み取り可能な記憶媒体に格納されたコンピュータ・プログラムであって、請求項１９に記載の方法を実行するためのプログラムコードを含むことを特徴とするコンピュータ・プログラム。
【請求項２３】
前記オーディオ処理回路は、通話に関連するオーディオ信号を送受信する移動端末を含み、前記通話中は前記移動端末によって前記音声モードが自動的に選択されることを特徴とする請求項２１に記載の方法。
【請求項２４】
マイクロホンからのオーディオ信号の処理のためのオーディオ処理回路を動作させるための、コンピュータ読み取り可能な記憶媒体に格納されたコンピュータ・プログラムであって、請求項２１に記載の方法を実行するためのプログラムコードを含むことを特徴とするコンピュータ・プログラム。
【発明の詳細な説明】
【技術分野】
【０００１】
本発明は、移動端末及びそれを動作させる方法並びにコンピュータプログラムに関し、より具体的には、そのような装置のオーディオ信号を処理するオーディオ回路、方法及びコンピュータ・プログラムに関する。
【背景技術】
【０００２】
移動端末等の移動装置を含む様々なコンシューマ装置は、プロセッサ及び、ディスプレイ、スピーカ、マイクロホン等のユーザ入出力デバイスの両方を含む。そのような装置では、プロセッサは一般に、オーディオファイル、写真、アニメーション等の多様な形式のメディアコンテンツを処理するように構成される。移動端末においては一般に、プロセッサは、移動端末に確立された電話呼の音声コネクション又はデータコネクションに付随する音声コンテンツ及び／又はビデオコンテンツを処理するようにも構成される。
【０００３】
移動端末等の移動装置では、オーディオ入力回路は、通常、音声感度を最大化し、背景雑音を最小化するように設計される。これらの装置のオーディオ処理は、ある程度までは、それらの物理的及び電気的設計の役割であり、例えば、マイクロホンの周波数応答特性及びオーディオ入力回路フロントエンドにおける電子的なバンドパスフィルタに依存する。さらに、移動端末には一般にデジタル信号プロセッサ（digital signal processor : DSP）が移動端末に含まれており、このDSPが、無線ネットワーク等を介したオーディオ信号の通信において、音声明瞭度を向上し、及び／又は使用帯域を削減するために受信オーディオ入力信号から外部情報を除去するための、オーディオ処理の部分を実行する。従来の移動端末では、通話等の際の無線送信のために、マイクロホンからの入力オーディオ信号の処理には、音声周波数帯域外の周波数を抑圧するためのフロントエンド・バンドパスフィルタ、音声帯域内の音響エネルギを最大化するためのオーディオ・コンプレッション（audio compression）、及び／又は、マイクロホンからのオーディオ入力を無音化する（使用を止める）代わりに「コンフォート・ノイズ（comfort noise）」を挿入する音声作動式スイッチ（voice activated swithc : VOX）が含まれうる。
【０００４】
ここでは、「オーディオ・コンプレッション」は、音声帯域内の音響エネルギを増大させる処理をいう。オーディオ・コンプレッションは「データ圧縮（data compression）」とは異なる。後者は、一般には、音声入力を表現するのに必要な情報量を低減するために冗長な情報を除去又は符号化し、これにより通話等をサポートする帯域幅要件を節減するものである。例えば、ポーズ区間をコンフォート・ノイズや受信機においてコンフォート・ノイズを挿入するための指示で置換することは、ＭＰ３等で標準化されているようなデータ圧縮技術である。
【０００５】
図１は、上述したような従来のオーディオ経路を示す概略的なブロック図である。図１の概略図に示すように、マイクロホン１２はプリアンプ１４に接続される。プリアンプ１４は、マイクロホン１２が検知した音波を示すマイクロホン１２が生成したアナログ電気信号を前置増幅する。プリアンプ１４の出力は、図ではバンドパスフィルタ１６に接続されている。バンドパスフィルタ１６は、音声周波数帯域内の信号のみを通過させ、それにより外部からの雑音等を除去するように構成される。こうしないと、外部からの雑音等がマイクロホン１２により受信された音声の記録（検知）の品質の低下を招くからである。バンドパスフィルタ１６の出力は、アナログ−デジタル変換器（ＡＤＣ）１８に渡され、その後、デジタル化されフィルタリングされたオーディオ信号は、デジタル信号プロセッサ（ＤＳＰ）２０によって処理される。以上からわかるように、デジタル信号プロセッサ（ＤＳＰ）２０は、フィルタ機能、オーディオ・コンプレッション、コンフォート・ノイズの挿入等を更に行うようにしてもよい。ＤＳＰ２０はまた、オーディオ信号をパルス符号変調（ＰＣＭ）等の標準化されたデジタル形式にするために、オーディオ信号について標準化された形式に整形することもできる。
【発明の開示】
【０００６】
本発明の実施形態では、移動端末のオーディオ回路は、マイクロホンと、マイクロホンに結合される入力部を持つオーディオ信号処理回路とを含む。オーディオ信号処理回路は切り換え可能部を有し、当該切り換え可能部に結合されたモード信号に応じて、切り換え可能部を使用する音声モードと切り換え可能部を使用しないハイファイモードとを切り換えるように構成される。
【０００７】
本発明の別の実施形態では、オーディオ回路は、移動端末が通話に使用されているときは音声モードを選択するための第１状態のモード信号を設定し、ユーザからのハイファイモードの要求に応答してハイファイモードを選択するための第２状態のモード信号を設定するコントローラを更に備える。コントローラは、通話の開始に応答して自動的に第１状態を選択し、ユーザによるハイファイモードの切り換え要求に応答して、通話中に第２状態のモード信号に切り換えるように、構成されてもよい。
【０００８】
本発明のさらに別の実施形態では、コントローラは、ユーザからの記録要求に応答して、ハイファイモードで、マイクロホンからのオーディオ信号の記録を開始するように構成される。コントローラはまた、記録されたオーディオ信号を移動端末から送信するメッセージに添付することができる。コントローラは、記録されたオーディオ信号を圧縮し、圧縮されたオーディオ信号を記憶し、記憶されたオーディオ信号を送信するメッセージに添付する前に、当該記憶されたオーディオ信号を更に圧縮するように構成されてもよい。
【０００９】
本発明の別の実施形態では、切り換え可能部は音声周波数帯域バンドパスフィルタを含む。ハイファイモードでは、音声周波数帯域バンドパスフィルタは使用されない、及び／又は、ハイファイオーディオ信号を通過させるように選択される広帯域フィルタに置換される。切り換え可能部はデジタル信号プロセッサを含み、ハイファイモードでは、マイクロホンからのオーディオ信号に対してデジタル信号プロセッサによって実行される複数のオーディオ信号処理のうちの少なくとも１つのオーディオ信号処理が停止される。オーディオ信号処理動作は例えば、オーディオ・コンプレッション、コンフォート・ノイズ挿入、及び／又は、フィルタ機能を含むことができる。ある実施形態でのオーディオ信号処理動作は、コンフォート・ノイズ挿入を含み、音声モードでは、マイクロホンからのオーディオ信号の部分を通話のためのコンフォート・ノイズ挿入で置換するように構成される。
【００１０】
本発明のさらに別の実施形態では、以上で述べられたようなオーディオ回路を含む移動端末が提供される。移動端末はさらに、オーディオ回路を納める可搬型筐体、及びメッセージを送信しまた通話に関連する信号を送受信するように構成された送受信機を含む。
【００１１】
本発明の別の実施形態では、可搬型筐体と、データを送信し通話に関連する信号を送受信するように構成された送受信機を含む移動端末が提供される。オーディオ処理回路は、選択可能な、音声周波数帯域バンドパスフィルタ、コンフォート・ノイズ挿入を含むオーディオ信号処理動作用に構成された選択可能なデジタル処理回路を含む。バンドパスフィルタ及びオーディオ処理動作は、オーディオ処理回路に接続して動作するマイクロホンからのオーディオ信号に対して動作し、処理済みオーディオ信号を生成する。移動端末はさらに、オーディオ信号処理回路の音声モード又はハイファイモードを選択するように構成されたコントローラを含む。音声モードは通話のために自動的に選択され、処理済みオーディオ信号の生成におけるコンフォート・ノイズ挿入及びバンドパスフィルタを含む。ハイファイモードはユーザ要求に応答して選択され、処理済みオーディオ信号の生成におけるバンドパスフィルタ又はコンフォート・ノイズの挿入を含まない。
【００１２】
本発明のさらに別の実施形態では、コントローラは、ハイファイモードにおいて、ユーザからの記録要求に応答して、マイクロホンからのオーディオ信号の記録を開始するように構成される。コントローラは、記録されたオーディオ信号を、移動端末から送信するメッセージに添付するように構成されてもよく、さらに、記録されたオーディオ信号を送信メッセージに添付する前に、記録されたオーディオ信号を圧縮するように構成されてもよい。ある実施形態では、オーディオ信号処理動作はオーディオ・コンプレッションを含み、音声モードはオーディオ・コンプレッションを含み、ハイファイモードはオーディオ・コンプレッションを含まない。
【００１３】
本発明のさらに別の実施形態では、マイクロホンからのオーディオ信号を処理するオーディオ処理回路を動作させる方法が提供される。マイクロホンからのオーディオ信号を処理するため、音声モード又はハイファイモードが選択される。音声モードでは、オーディオ信号は、オーディオ処理回路の音声周波数帯のバンドパスフィルタを通して処理される。ハイファイモードのオーディオ信号については、音声周波数帯のバンドパスフィルタはオーディオ処理回路から除かれる。オーディオ処理回路は、通話に関連するオーディオ信号を送信及び受信するように構成された移動端末に含まれてもよく、通話中は音声モードが移動端末により自動的に選択されうる。その方法はさらに、音声モードにおいてのみ、オーディオ信号に対するオーディオ・コンプレッション及び／又はコンフォート・ノイズの挿入の実行を含んでもよい。
【００１４】
以上では主に装置及び方法の側面に関して説明したが、本発明はまた、マイクロホン又は補助的なオーディオ入力からのオーディオ信号を処理するオーディオ処理回路を動作させるコンピュータ・プログラムを含むことが理解されよう。
【発明を実施するための最良の形態】
【００１５】
以下、添付の図面を参照して本発明の好適な特定の実施形態を説明するが、本発明は、多くの種々の形態で実施可能であり、本明細書に示す実施形態に限定して解釈されるべきではない。本明細書における実施形態は、余すところなく発明を開示するとともに、当業者が本発明の範囲を十分に理解できるようにするために、提供するものである。添付の図面に示され、特定の実施形態の詳細な説明において使用される用語は、本発明を限定することを意図したものではない。また、図面において、同一の参照符号は同一の要素を示す。
【００１６】
本明細書において使用されるように、特に指示のない限り、単数形「a」、「an」及び「the」は複数形も含みうることを意図している。また、本明細書における「含む」「有する」「備える」（"includes," "comprises," "icluding" and/or "comprising"）の用語は、記載される特徴、数字、ステップ、動作、要素、構成部品が存在するということを示すものであるが、これらの特徴、数字、ステップ、動作、要素、それらのグループ以外のものの存在、それらへの追加事項を排除するものではない。要素が別の要素に「接続 ("connected")」又は「結合 ("coupled") 」と示される場合、その要素は他方の要素に直接接続又は結合されることはもちろん、その間を仲介する要素が存在する場合もある。更に、本明細書で使用される「接続 ("connected")」又は「結合 ("coupled") 」は、無線接続又は結合を含みうる。また、本明細書で使用される「及び／又は (and/or) 」の用語は、列挙される１つ以上の関連する項目の任意の組み合せ及び全ての組み合せを含むことを意味する。
【００１７】
特に指示のない限り、本明細書において使用される全ての用語（技術科学用語を含む）は、本発明が属する分野の技術者により一般に理解される意味と同一の意味を有する。一般に使用される辞書で定義される用語等の用語は、関連技術の説明におけるそれら用語の意味と一致する意味を有するものとして解釈されるべきであり、特に指示のない限り、概念化された意味又は過度に形式的な意味に解釈されない。
【００１８】
本明細書において使用される「移動端末（"mobile terminal"）」は、送信能力を持たず無線受信機のみを有する装置と、双方向通信リンクを介した双方向通信がが可能な送受信の両方のハードウェアを有する装置との両方を含む。これらの装置は、マルチラインディスプレイを有する又は有しない携帯通信デバイスその他の通信デバイス、音声／データ処理、ファクシミリ及び／又はデータ通信機能を有するパーソナル移動通信システム（ＰＣＳ）端末、無線周波数トランシーバ及びページャ、インターネット／イントラネットアクセス、ウェブブラウザ、オーガナイザ、カレンダ及び／又はグローバル・ポジショニング・システム（ＧＰＳ）受信機を含むパーソナルデジタルアシスタント（ＰＤＡ）、並びに／あるいは無線周波数トランシーバを含む従来のラップトップ及び／又はパームトップコンピュータその他の機器を含むものとする。本明細書において使用される「移動端末（"mobile terminal"）」は、可搬性があり、乗物（航空、海洋又は地上）に装備可能で、地球上及び／又は宇宙の任意のロケーションにおいて分散して動作し且つ／又は構成される。また、「移動装置（mobile device）」は、移動端末のみならず無線通信をサポートしない移動装置も含む。
【００１９】
図２乃至４を参照して、本発明の実施形態を説明する。まず、図２を参照すると、本発明の実施形態におけるオーディオ回路を含む移動端末を示す概略的なブロック回路図が示される。図２は、無線通信ネットワークの移動端末２２及び基地局送受信機２４を示す。移動端末２２は、可搬型筐体２３を含み、またキーボード２６、ディスプレイ２８、スピーカ３２、マイクロホン３４、送受信機３６、及びメモリ３８、を含むことができ、そのいずれもがプロセッサ（コントローラ）４２と通信可能である。さらに、移動端末２２は、オーディオ信号処理回路２９を含み、これはまた、マイクロホン３４をプロセッサ４２と結合するために、プロセッサ４２と通信する。プロセッサ４２へのオーディオ入力２７及びプロセッサ４２からのモード信号２８も図２に示されている。プロセッサ４２は、任意の市販のマイクロプロセッサでもよいし、特殊仕様のマイクロプロセッサでもよい。
【００２０】
送受信機３６は、通常、送信回路４４及び受信回路４６を含み、これらはそれぞれ、基地局送受信機２４へ発信無線周波数信号を送信し、基地局送受信機２４から、アンテナ４８を介して、通話及びデータ信号等の着信無線周波数信号を受信する。アンテナ４８は、埋め込み型アンテナ、伸縮自在型アンテナをはじめ、当業者に公知の、本発明の範囲から逸脱しない任意のアンテナとすることができる。移動端末２２と基地局送受信機２４との間で伝送される無線周波数信号は、トラヒック信号及び制御信号（例えば、着信呼の呼出し用の信号／メッセージ）の両方を含みうるもので、これらは、通信相手との通話通信を確立し維持するために、又は、電子メール又はＭＭＳメッセージ等のデータをリモート装置と送受信するために使用される。プロセッサ４２は移動端末２２の多様な機能をサポートすることができ、本発明の実施形態によれば、移動端末２２のオーディオ信号処理回路２９に関する機能を含む。
【００２１】
本発明の実施形態では、基地局送受信機２４は、セルラ・ネットワーク中の個々のセルを定義し、無線リンク・プロトコルを使用して移動端末２２やセル中のその他の移動端末と通信する無線送受信機である。１個の基地局送受信機２４のみが示されているが、無線通信ネットワークを定義する、例えば、移動通信交換局及びその他の装置を通して、複数の基地局送受信機が接続されてもよいことは理解されよう。
【００２２】
次に、図３の概略ブロック回路図を参照して、本発明の実施形態の移動装置のオーディオ回路を説明する。図３の実施形態に示されるように、オーディオ回路１０１は、マイクロホン１１２及びオーディオ信号処理回路１２５を含む。マイクロホン１１２は、オーディオ信号処理回路１２５の入力、具体的には、オーディオ信号処理回路１２５のプリアンプ１１４、に接続される。図３の実施形態のオーディオ信号処理回路１２５はさらに、バンドパスフィルタ１１６、アナログ−デジタル変換器（ＡＤＣ）１１８及びデジタル信号プロセッサ（ＤＳＰ）１２０を含む。
【００２３】
オーディオ信号処理回路１２５の図示の実施形態はさらに、バイパス・スイッチ１２４を含む。バイパス・スイッチ１２４及びＤＳＰ１２０は、オーディオ信号処理回路１２５の動作について、音声モード（voice mode）又はハイファイモード（full fidelity mode）を選択するために供給される入力モード信号２８に接続される。
【００２４】
図３に示されるオーディオ信号処理回路１２５は、音声モードとハイファイモードとを切り換えるように構成される。オーディオ信号処理回路１２５の切り換え可能部は、バンドパスフィルタ１１６及び／又はＤＳＰ１２０の全部又は一部を含むもので、ハイファイモードにおいてはマイクロホン１１２（又は、補助入力１０５）からのオーディオ信号の処理には使用されない（すなわち、動作に含まれない）が、音声モードにおいては含まれる。
【００２５】
図２では、マイクロホン３４は移動端末２２の筐体２３内に位置するように描かれているが、本発明は、そのような埋め込み型マイクロホン構成に限定されるものでないことは理解されよう。例えば、マイクロホン１１２は、移動端末２２のオーディオ入力端子に有線で接続してもよいし、ブルートゥース（登録商標）ヘッドセットやその他のハンズフリー装置等により、無線コネクションを利用してオーディオ信号処理回路１２５に接続して作動させることもできる。
【００２６】
図３において、バンドパスフィルタ１１６のバイパスラインが機械的スイッチ１２４を使用するかのように示されているが、アナログ・スイッチやその他の電子回路等の別のやり方を採用してもそれは本発明の範疇内であることは理解されよう。例えば、バンドパスフィルタ１１６を完全に除くのではなく、フィルタ１１６の通過周波数帯域を変更してもよい。ハイファイモードにおいてバンドパスフィルタの周波数通過帯域を変更するために、オーディオ信号処理回路１２５の一部分の切り外しが、バンドパスフィルタ中の抵抗器、キャパシタ等の切り換えを含んでもよい。同様に、図３に概略的に示されるように、モード信号２８は、ＤＳＰ１２０への状態入力であってもよい。ＤＳＰ１２０は、モード信号２８に応じて、ＡＤＣ１１８から受け取るオーディオ信号に対して実行されるプログラムされた動作を変更し、その結果、デジタル信号プロセッサ１２０からのＰＣＭ信号出力には、モード信号２８の状態に応じて、信号フィルタ、オーディオ・コンプレッション及び／又はコンフォート・ノイズ挿入の異なった特性が付与される。
【００２７】
図２に示すように、モード信号２８はプロセッサ／コントローラ４２からの出力で設定されてもよく、プロセッサ／コントローラ４２は、音声モードを選択するためにモード信号２８の第１状態を設定し、また、ハイファイモードを選択するためにモード信号２８の第２状態を設定できる。コントローラ４２は、本発明の実施形態では、移動端末２２が通話に使用中の場合は、音声モードを自動的に選択でき、ユーザからのハイファイモードの要求に応答して、ハイファイモードを選択できる。例えば、そのユーザ要求はキーボード２６を通して受信することができ、あるいは、マイクロホン３４を通しての、又は別のユーザ入力装置を通しての音声検知選択方式によって受信することもできる。さらに、モード信号２８は、受信機３６を通して、基地局送受信機２４から無線リンクを介して受信されたユーザ要求に応じて設定されうる。そのため、移動端末２２がそのような制御を受け付けるように構成されているならば、リモートユーザが移動端末２２の記録の忠実度モードを音声モードとハイファイモードとで切り換えるよう要求することができる。
【００２８】
コントローラ４２は、通話の開始に応じて、第１状態／通話状態を選択するよう構成されてもよい。ある実施形態では、コントローラ４２はさらに、通話の途中であっても、ユーザからのハイファイモードへの切り換え要求に応じて、第２状態／ハイファイ状態のモード信号２８へ切り換えるよう構成されてもよい。
【００２９】
本発明の多様な実施形態において、切り換え可能なオーディオ信号処理回路１２５を提供することにより、音声周波数帯域を超えたオーディオ通信を記録又は使用することになる特別な状況で、ハイファイモードを使用することが可能になる。例えば、移動端末２２のユーザは、友人にＭＭＳメッセージで送信するために、ギター伴奏付きの曲を記録したいと望むかもしれない。図１について説明した従来のオーディオ処理回路では、ギター音は一般に、周波数が音声スペクトルから外れるため、背景雑音とみなされ、ＤＳＰ処理の結果、大抵はフィルタで除去されてしまう。また、微弱な楽節や無音区間は通常、コンフォート・ノイズで置換されてしまい、その結果、ギター伴奏付きの楽曲信号は途切れ途切れになってしまう。そこで、ハイファイモードでは、従来のアナログ及びＤＳＰによるフィルタ及びノイズリダクションをバイパスしてもよく、またマイクロホンにギター伴奏付きの歌等のための高品質な記録を提供できる。
【００３０】
したがって、本発明の多様な実施形態によれば、例えば、オーディオ・メモ又はサウンド付きビデオを記録する際に、手動制御又は自動でハイファイモードへ切り換えることのできるハイファイ・マイクロホン回路が提供される。通話が発信又は受信されるか又は別の理由でハイファイモードが望まれない場合は、自動的に又はユーザ要求に応じて、通常のオーディオ経路に復帰する。
【００３１】
多様な実施形態において、コントローラ４２は、マイクロホンからのギター伴奏付き歌等のオーディオ信号を、ユーザの記録要求に応じてハイファイモードで記録開始するように構成されうる。コントローラ４２はさらに、記録されたオーディオ信号を移動端末２２から送信するために、ＭＭＳ又は電子メール・メッセージ等のメッセージに添付するよう構成されてもよい。
【００３２】
コントローラ４２はまた、記録されたオーディオ信号を圧縮し、圧縮されたオーディオ信号を、例えば、メモリ３８に記憶するように構成されてもよい。ハイファイ音の記録は、ローカルでの記憶用として、例えば、ＭＰ３又は３ＧＰ形式に圧縮されるとよい。さらに、本発明の実施形態では、記憶された圧縮オーディオ信号は、記録されたオーディオ信号を送信するためにメッセージに添付する前に、更に圧縮されてもよい。その更なる圧縮は、無線送信のためにハイファイで記録された音をＭＭＳメッセージに添付するユーザによって起動され、メッセージ送信のコスト／帯域幅が削減されるようファイル・サイズを削減する追加的な圧縮が行われる。
【００３３】
図３においては、オーディオ信号処理回路１２５による処理のためにオーディオ信号を受信するべく、マイクロホン１１２に加えて補助入力１０５が設けられている。本発明の多様な実施形態による、切り換え可能なオーディオ回路を含む移動端末では、そのようなハイファイのＡＵＸ入力の付加が、その後の信号処理回路のハイファイモード能力に照らして、望ましい場合もある。さらに、図３では、ＤＳＰ１２０の出力がＰＣＭ符号化デジタル信号で示されているが、処理したオーディオ信号用をさまざまな別の形式で出力するデジタル出力を使用してもよいことは当業者には理解されよう。さらに、ＤＳＰ１２０の後段に追加的な処理を設け、ＤＳＰ１２０からデジタル信号を取得してそれをＰＣＭ等の形式に変換するようにしてもよい。
【００３４】
したがって、以上で一般的に述べたように、本発明の多様な実施形態は、切り換え可能なオーディオ信号処理回路２９はマイクロホン１１２に接続される入力を有し、また、オーディオ信号処理回路１２５が、選択可能な音声周波数帯バンドパスフィルタ１１６及びオーディオ信号処理動作用に構成された選択可能なデジタル処理回路１２０を有する、移動端末２２を提供することができる。デジタル処理回路１２０の信号処理動作は、例えば、コンフォート・ノイズの挿入、オーディオ・コンプレッション、フィルタ等を含む。バンドパスフィルタ１１６及びデジタル処理回路１２０は、図３でＰＣＭ信号として示される処理されたオーディオ信号を生成するために、マイクロホン１１２又は補助入力１０５からのオーディオ信号に対して動作する。ＤＳＰ又はデジタル処理回路１２０は、ソフトウェア、ハードウェア及び／又はそれらの組合せによって、コントローラ４２からのモード信号２８を用いて、処理を音声モードからハイファイモードへ変更するように構成されてもよい。
【００３５】
次に、本発明の多様な実施形態による、マイクロホンからのオーディオ信号を処理するためのオーディオ処理回路を動作させる方法について、図４に示されたフローチャートを参照して説明する。図４にされるように、ブロック１５０において、マイクロホンからのオーディオ信号を処理するために音声モード又はハイファイモードを選択することにより、動作が開始される。その選択は、自動的であってもよいし、手動であってもよい。例えば、音声モードが通話に対して自動的に選択されてもよく、ハイファイモードがユーザの選択入力に応じて選択されてもよい。
【００３６】
音声モードでは（ブロック１５５）、オーディオ信号は、オーディオ処理回路の音声周波数帯バンドパスフィルタを通して処理される（ブロック１６０）。さらに、オーディオ・コンプレッション及び／又はコンフォート・ノイズの挿入も音声モードのオーディオ信号に対して実行される（ブロック１６５）。これとは対照的に、ハイファイモードでは（ブロック１５５）、音声周波数帯のバンドパスフィルタは、オーディオ信号用のオーディオ処理回路から除かれる(ブロック１７０)。音声周波数帯のバンドパスフィルタは、前部のフィルタを使用したまま、フィルタの周波数帯域を変更することにより除かれてもよいし、それをバイパスして、前置増幅はされたがフィルタリングはされない信号を、アナログ−デジタル変換器へ直接渡すようにしてもよい。同様に、ハイファイモードでは（ブロック１５５）、オーディオ信号へのオーディオ・コンプレッション及び／又はコンフォート・ノイズの挿入が実行されないよう、デジタル信号処理動作が切り換えられる(ブロック１７５)。
【００３７】
当業者には理解されるように、本発明は、方法、システム、又はコンピュータ・プログラムとして実施可能である。したがって、本発明は、全体をハードウェアで実施、ソフトウェアで実施、又はソフトウェア及びハードウェアの特徴を組み合わせて実施、の諸形態をとることができ、ここでは、これら全体を一般的に、「回路」又は「モジュール」と呼んでいる。さらに、本発明は、コンピュータで使用可能な記憶媒体で具体化される、コンピュータで使用可能なプログラム・コードを持つコンピュータ・プログラムの形態をとることもできる。任意の適当なコンピュータ読み取り可能な媒体が使用されてもよく、それには、ハードディスク、ＣＤ−ＲＯＭ、光記憶装置、インターネット又はイントラネットをサポートするような伝送媒体、又は磁気記憶装置が含まれる。
【００３８】
本発明の動作を遂行するコンピュータ・プログラム・コードは、Ｊａｖａ（登録商標）、スモールトーク又はＣ＋＋等のオブジェクト指向プログラミング言語で記述できる。もっとも、本発明の動作を遂行するコンピュータ・プログラム・コードはまた、Ｃプログラミング言語及び／又は低レベルのアッセンブラ言語等の従来からの手続型プログラミング言語で記述されてもよい。プログラム・コードは、スタンドアロン型のソフトウェア・パッケージとして、その全体をユーザ・コンピュータ上で、又は部分的にユーザ・コンピュータ上で実行するようにしてもよいし、一部分はユーザ・コンピュータ上で一部分はリモートコンピュータ上で、あるいは、全体をリモートコンピュータ上で実行するようにしてもよい。後者のシナリオでは、リモートコンピュータは、ローカルエリアネットワーク（ＬＡＮ）又はワイドエリアネットワーク（ＷＡＮ）を通して、ユーザ・コンピュータに接続されてもよく、又はその接続が、外部のコンピュータに対して（例えば、インターネット・サービスプロバイダを介して）なされてもよい。
【００３９】
さらに、以上においては、本発明の実施形態による方法、装置（システム）及びコンピュータ・プログラムのフローチャート及び／又はブロック図によって、本発明が説明された。フローチャート及び／又はブロック図の各ブロック、及びフローチャート及び／又はブロック図のブロックの組合せが、コンピュータ・プログラム命令により実現可能であることは理解されよう。これらのコンピュータ・プログラム命令は、汎用コンピュータ、特殊目的コンピュータ、又はその他の製品を作るためのプログラム可能なデータ処理装置、のプロセッサに対して提供されてもよい。これにより、コンピュータ又はその他のプログラム可能なデータ処理装置のプロセッサを介して実行されるそれらの命令は、フローチャート及び／又はブロック図のブロック又はブロック群で指定された機能／動作を実現する手段を創出する。
【００４０】
これらのコンピュータ・プログラム命令はまた、コンピュータ又はその他のプログラム可能なデータ処理装置に、特定のやり方で機能するよう指令できるコンピュータ読み取り可能なメモリに記憶されてもよい。これにより、コンピュータ読み取り可能なメモリに記憶された命令は、フローチャート及び／又はブロック図のブロック又はブロック群で指定された機能／動作を実現する命令手段を含む、製品を産出する。
【００４１】
コンピュータ・プログラム命令はまた、コンピュータで実現される過程を創出するために、一連の動作工程がコンピュータ又はその他のプログラム可能なデータ処理装置上で実行されるようにするため、コンピュータ又はその他のプログラム可能なデータ処理装置にロードされうる。これにより、コンピュータ又はその他のプログラム可能なデータ処理装置上で実行される命令は、フローチャート及び／又はブロック図のブロック又はブロック群で指定された機能／動作を実現する工程を提供する。
【００４２】
図２乃至４は、オーディオ信号を処理するための、方法、システム及びコンピュータ・プログラムの、ある実施形態のアーキテクチャ、機能、及び動作を示すものである。この観点からは、各ブロックは、指定された論理機能を実現するための、１つ以上の実行可能な命令を含む、モジュール、セグメント、又はコード部分を表現するとしてもよい。別の実装では、ブロックに記された機能の生起が図に記された順序通りでなくてよいことにも注意されたい。例えば、継続して示された２つのブロックは、実際には、実質的に同時に実行されてもよいし、関係する機能によっては、それらのブロックは時には逆順で実行されてもよい。
【００４３】
以上、本発明の好適な実施形態を開示した。特定の用語を用いたが、それらの用語は、包括的であり且つ説明するために使用したものであり、発明を限定する目的で使用したものではない。本発明の範囲は、請求の範囲の記載により定義される。
【図面の簡単な説明】
【００４４】
【図１】従来の移動端末のオーディオ処理回路を示す概略的なブロック回路図である。
【図２】本発明の実施形態における移動端末及び典型的な基地局送受信機の概略的なブロック図である。
【図３】本発明の実施形態における移動端末用のオーディオ回路を示す概略的なブロック回路図である。
【図４】本発明の実施形態におけるマイクロホンからのオーディオ信号を処理するオーディオ処理回路を動作させる方法を示すフローチャートである。
【図１】
2008544722.tif 000003
【図２】
2008544722.tif 000004
【図３】
2008544722.tif 000005
【図４】
2008544722.tif 000006
【手続補正書】
【提出日】平成19年4月12日(2007.4.12)
【手続補正１】
【補正対象書類名】特許請求の範囲
【補正対象項目名】全文
【補正方法】変更
【補正の内容】
【特許請求の範囲】
【請求項１】
移動端末のオーディオ回路であって、
オーディオ信号を生成するマイクロホンと、
前記マイクロホンに結合され前記生成されたオーディオ信号を受信する入力部を有するオーディオ信号処理回路と、を備え、
前記オーディオ信号処理回路は、切り換え可能部を有し、当該切り換え可能部に結合されたモード信号に応じて、前記切り換え可能部を使用する音声モードと、前記切り換え可能部を使用しないハイファイモードとを切り換え、前記ハイファイモードでは、前記オーディオ信号処理回路によって生成された処理済みオーディオ信号に、前記音声モードでは含まれない前記オーディオ信号の周波数成分が含まれることを特徴とするオーディオ回路。
【請求項２】
前記移動端末が通話に使用されているときは前記音声モードを選択するための第１状態のモード信号を設定し、ユーザからの前記ハイファイモードの要求に応答して前記ハイファイモードを選択するための第２状態のモード信号を設定するコントローラを更に備えることを特徴とする請求項１に記載のオーディオ回路。
【請求項３】
前記コントローラは、前記通話の開始に応答して前記第１状態を自動的に選択することを特徴とする請求項２に記載のオーディオ回路。
【請求項４】
前記コントローラは、ユーザからの前記ハイファイモードへの切り換え要求に応答して、前記通話中に前記第２状態のモード信号に切り換えることを特徴とする請求項３に記載のオーディオ回路。
【請求項５】
前記コントローラは、ユーザからの記録要求に応答して、前記ハイファイモードで、前記マイクロホンからのオーディオ信号の記録を開始することを特徴とする請求項２に記載のオーディオ回路。
【請求項６】
前記コントローラは、前記記録されたオーディオ信号を前記移動端末から送信するメッセージに添付することを特徴とする請求項５に記載のオーディオ回路。
【請求項７】
前記コントローラは、前記記録されたオーディオ信号を圧縮し、当該圧縮されたオーディオ信号を記憶し、当該記憶されたオーディオ信号を前記送信するメッセージに添付する前に、当該記憶されたオーディオ信号を更に圧縮することを特徴とする請求項６に記載のオーディオ回路。
【請求項８】
前記切り換え可能部は、音声周波数帯域バンドパスフィルタを含み、前記ハイファイモードでは、前記音声周波数帯域バンドパスフィルタは使用されない、及び／又は、前記音声モードでは前記処理済みオーディオ信号には含まれない周波数成分を含むハイファイオーディオ信号を通過させるように選択される広帯域フィルタに置換されることを特徴とする請求項２に記載のオーディオ回路。
【請求項９】
前記切り換え可能部は、デジタル信号プロセッサを含み、前記ハイファイモードでは、前記マイクロホンからのオーディオ信号に対して前記デジタル信号プロセッサによって実行される複数のオーディオ信号処理のうちの少なくとも１つのオーディオ信号処理が停止されることを特徴とする請求項８に記載のオーディオ回路。
【請求項１０】
前記少なくとも１つのオーディオ信号処理は、オーディオ・コンプレッション、コンフォート・ノイズ挿入、及びフィルタリングの少なくともいずれか１つを含むことを特徴とする請求項９に記載のオーディオ回路。
【請求項１１】
前記少なくとも１つのオーディオ信号処理は、コンフォート・ノイズ挿入を含み、前記音声モードにおいて、前記コントローラは、前記マイクロホンからのオーディオ信号の部分を通話のためのコンフォート・ノイズ挿入で置換することを特徴とする請求項１０に記載のオーディオ回路。
【請求項１２】
前記音声周波数帯域バンドパスフィルタはアナログフィルタを含み、前記オーディオ信号処理回路は、前記音声周波数帯域バンドパスフィルタと前記デジタル信号プロセッサとの間に設けられるアナログ−デジタル変換器（ＡＤＣ）を更に含むことを特徴とする請求項９に記載のオーディオ回路。
【請求項１３】
請求項２に記載のオーディオ回路を含む移動端末であって、
前記オーディオ回路を内蔵する可搬性筐体と、
前記メッセージを送信し、前記通話に関連する信号を送受信する送受信機と、
を更に備えることを特徴とする移動端末。
【請求項１４】
移動端末であって、
可搬性筐体と、
データを送信し、通話に関連する信号を送受信する送受信機と、
選択可能な音声周波数帯域バンドパスフィルタと、コンフォート・ノイズ挿入、バンドパスフィルタ、結合されたマイクロホンからのオーディオ信号に対して動作し処理済みオーディオ信号を生成するオーディオ処理動作を含む選択可能なデジタル処理回路と、を含むオーディオ信号処理回路と、
前記オーディオ信号処理回路の音声モード又はハイファイモードを選択するコントローラと、
を備え、
前記音声モードは、通話のために自動的に選択され、前記処理済みオーディオ信号の生成におけるコンフォート・ノイズ挿入及び前記バンドパスフィルタを含み、前記ハイファイモードは、ユーザ要求に応答して選択され、前記処理済みオーディオ信号の生成における前記バンドパスフィルタ又はコンフォート・ノイズ挿入を含まないことを特徴とする移動端末。
【請求項１５】
前記コントローラは、ユーザからの前記ハイファイモードへの切り換え要求に応答して、通話中に前記ハイファイモードを選択することを特徴とする請求項１４に記載の移動端末。
【請求項１６】
前記コントローラは、前記ハイファイモードにおいて、ユーザからの記録要求に応答して、前記マイクロホンからのオーディオ信号の記録を開始することを特徴とする請求項１４に記載の移動端末。
【請求項１７】
前記コントローラは、前記記録されたオーディオ信号を前記移動端末から送信するメッセージに添付することを特徴とする請求項１６に記載の移動端末。
【請求項１８】
前記コントローラは、前記記録されたオーディオ信号を前記送信するメッセージに添付する前に、当該記録されたオーディオ信号を圧縮することを特徴とする請求項１７に記載の移動端末。
【請求項１９】
前記オーディオ処理動作はオーディオ・コンプレッションを含み、前記音声モードはオーディオ・コンプレッションを含み、前記ハイファイモードはオーディオ・コンプレッションを含まないことを特徴とする請求項１４に記載の移動端末。
【請求項２０】
マイクロホンからのオーディオ信号を処理するオーディオ処理回路を動作させる方法であって、
前記マイクロホンからのオーディオ信号を処理するために、音声モード又はハイファイモードを選択する選択ステップと、
前記音声モードにおいて、前記オーディオ信号を、前記オーディオ処理回路の音声周波数帯域バンドパスフィルタに通して処理する処理ステップと、
前記ハイファイモードにおいて、前記オーディオ信号に対する前記オーディオ処理回路から前記音声周波数帯域バンドパスフィルタを除外する除外ステップと、
を有することを特徴とする方法。
【請求項２１】
前記オーディオ処理回路は、通話に関連するオーディオ信号を送受信する移動端末を含み、通話中は前記音声モードが前記移動端末により自動的に選択されることを特徴とする請求項２０に記載の方法。
【請求項２２】
前記音声モードのおいてのみ、前記オーディオ信号に対するオーディオ・コンプレッション及びコンフォート・ノイズ挿入の少なくともいずれか一方を実行するステップを更に有することを特徴とする請求項２０に記載の方法。
【請求項２３】
前記オーディオ処理回路は、通話に関連するオーディオ信号を送受信する移動端末を含み、前記通話中は前記移動端末によって前記音声モードが自動的に選択されることを特徴とする請求項２２に記載の方法。
【手続補正２】
【補正対象書類名】明細書
【補正対象項目名】０００５
【補正方法】変更
【補正の内容】
【０００５】
図１は、上述したような従来のオーディオ経路を示す概略的なブロック図である。図１の概略図に示すように、マイクロホン１２はプリアンプ１４に接続される。プリアンプ１４は、マイクロホン１２が検知した音波を示すマイクロホン１２が生成したアナログ電気信号を前置増幅する。プリアンプ１４の出力は、図ではバンドパスフィルタ１６に接続されている。バンドパスフィルタ１６は、音声周波数帯域内の信号のみを通過させ、それにより外部からの雑音等を除去するように構成される。こうしないと、外部からの雑音等がマイクロホン１２により受信された音声の記録（検知）の品質の低下を招くからである。バンドパスフィルタ１６の出力は、アナログ−デジタル変換器（ＡＤＣ）１８に渡され、その後、デジタル化されフィルタリングされたオーディオ信号は、デジタル信号プロセッサ（ＤＳＰ）２０によって処理される。以上からわかるように、デジタル信号プロセッサ（ＤＳＰ）２０は、フィルタ機能、オーディオ・コンプレッション、コンフォート・ノイズの挿入等を更に行うようにしてもよい。ＤＳＰ２０はまた、オーディオ信号をパルス符号変調（ＰＣＭ）等の標準化されたデジタル形式にするために、オーディオ信号について標準化された形式に整形することもできる。
米国特許出願公開第２００２／００２５０４８号は、除去した背景雑音に対して選択したサウンド信号で代替することを可能にする、音声情報を送信する方法及び、音声情報の送信のための電子通信デバイスを開示する。欧州特許出願第０７６２７１１号は、通信のデジタルモード及びアナログモードのいずれか一方または両方で動作可能なポータブル・セルラ電話における音声ストレージを開示する。
【国際調査報告】
2008544722.tif 000007
2008544722.tif 000008